(57)【要約】【課題】鋼矢板等の鋼材を作業効率良く且つ安全に積重するための鋼材積重治具を提供する。【解決手段】鋼材積重治具は、先に載置された鋼材の端部を挟むように挿入される一対の挿入アームと、前記挿入アームの基部からほぼ直角に上方に延び、積重される鋼材の端部を受け止め且つ前記先に載置された鋼材の端部まで案内する一対の案内受部とを具備する。治具は、案内受部に結合された把持部を有する。挿入アームの基部の裏側には、運搬・移動のための車輪を有することができる。【選択図】図２
2006076707.tif 000002
【特許請求の範囲】
【請求項１】
鋼矢板等の鋼材を作業効率良く且つ安全に積重するための鋼材積重治具であって、該治具は、
先に載置された鋼材の端部を挟むように挿入される挿入アームと、
前記挿入アームの基部からほぼ直角に上方に延び、積重される鋼材の端部を受け止め且つ前記先に載置された鋼材の端部まで案内する案内受部と、
を具備することを特徴とする鋼材積重治具。
【請求項２】
請求項１に記載の鋼材積重治具において、前記挿入アームは、前記鋼材の幅よりわずかに狭い間隔を間に有した一対の挿入アームであることを特徴とする鋼材積重治具。
【請求項３】
請求項２に記載の鋼材積重治具において、前記一対の挿入アームは、互いに平行であることを特徴とする鋼材積重治具。
【請求項４】
請求項１乃至請求項３の何れかに記載の鋼材積重治具であって、更に、前記案内受部の上部後方位置に、積重される前記鋼材の横方向の位置を決めるための横位置設定部を両端に有した把持部を、傾斜部を介して具備することを特徴とする鋼材積重治具。
【請求項５】
請求項１乃至請求項４の何れかに記載の鋼材積重治具において、前記挿入アームの基部は、その前方部に比較して肉厚に構成されることを特徴とする鋼材積重治具。
【請求項６】
請求項１乃至請求項５の何れかに記載の鋼材積重治具であって、更に、前記挿入アームの基部の挿入される側とは反対側に車輪を有し、該車輪の外周面の下部が、前記挿入アームの底面よりも若干上方に設けられることを特徴とする鋼材積重治具。
【請求項７】
請求項１乃至請求項６の何れかに記載の鋼材積重治具であって、更に、前記挿入アームの鋼材の端部を挟む部分に、滑止手段を有することを特徴とする鋼材積重治具。
【請求項８】
請求項１乃至請求項７の何れかに記載の鋼材積重治具において、前記挿入アームを構成する上側アーム及び下側アームの高さは、それぞれ積重される鋼材の上下間の隙間よりも低いことを特徴とする鋼材積重治具。
【請求項９】
請求項１乃至請求項８の何れかに記載の鋼材積重治具において、前記挿入アームを構成する上側アーム及び下側アームは、下側アームが上側アームよりも挿入方向に突出していることを特徴とする鋼材積重治具。
【請求項１０】
請求項１乃至請求項９の何れかに記載の鋼材積重治具であって、更に、前記挿入アームの基部の挿入される側とは反対側に足押部を有することを特徴とする鋼材積重治具。
【発明の詳細な説明】
【技術分野】
【０００１】
本発明は、鋼矢板等の鋼材を、特に建設現場で、効率良く且つ極めて安全に積重ねることができる鋼材積重治具に関する。
【背景技術】
【０００２】
鋼矢板という鋼材を、地中に打ったり抜いたりする専門建設業がある。工事現場において、クレーンを用いて地中から引き抜かれた鋼矢板は、クレーンの運転手（クレーンの操作者）と作業員の共同作業によって、先端部を揃えて順次積重ねられるが、その作業は、作業者にとって非常に危険を伴う作業である。図１（ａ）は、クレーン先端のフック１０にワイヤー１２を介して鋼矢板１４が吊り下げられ、且つその前に積重ねられた鋼矢板の先端部にこれから積重される鋼矢板１４の先端部１４ａが揃えられた状態を示す。次に、鋼矢板１４は、図１（ｂ）に示すように、鋼矢板の先端部同士（点線の円で示す部分）のみの接触を保ったまま、クレーン操作によりゆっくりと傾倒される。図１（ｃ）は、クレーンによって吊り下げられた鋼矢板を倒し終わった状態を示す。鋼矢板１４からワイヤー１２が外されることにより鋼矢板１４の積重作業が終了する。複数の鋼矢板を積重ねる場合、上記工程が繰り返される。
【発明の開示】
【発明が解決しようとする課題】
【０００３】
従来、図１（ａ）に示す先端部同士の位置揃え作業、及び図１（ｂ）に示す傾倒作業は、何の治具又は道具も用いず、クレーン操作者の操作の下、作業員の力と機敏性に頼って行われていた。そのため、特に鋼矢板１４の傾倒作業においては、図１（ｂ）に矢印Ａで示す方向に鋼矢板が滑り落ちる可能性が高く、作業員は常に非常に危険であった。
【０００４】
そこで、本発明は、かかる実情に鑑み、地中から引き抜かれた鋼矢板を、作業効率良く且つ安全に積重できる鋼材積重治具を提供しようとするものである。
【課題を解決するための手段】
【０００５】
上述した本発明の目的を達成するために、本発明による鋼材積重治具は、先に載置された鋼材の端部を挟むように挿入される挿入アームと、挿入アームの基部からほぼ直角に上方に延び、積重される鋼材の端部を受け止め且つ先に載置された鋼材の端部まで案内する案内受部とを具備するものである。
【０００６】
ここで、挿入アームは、鋼材の幅よりわずかに狭い間隔を間に有した一対の挿入アームであれば良い。
【０００７】
また、一対の挿入アームは、互いに平行であれば良い。
【０００８】
更に、案内受部の上部後方位置に、積重される前記鋼材の横方向の位置を決めるための横位置設定部を両端に有した把持部を、傾斜部を介して具備しても良い。
【０００９】
また、挿入アームの基部は、その前方部に比較して肉厚に構成されても良い。
【００１０】
更に、挿入アームの基部の挿入される側とは反対側に車輪を有し、該車輪の外周面の下部が、挿入アームの底面よりも若干上方に設けられても良い。
【００１１】
更にまた、挿入アームの鋼材の端部を挟む部分に、滑止手段を有しても良い。
【００１２】
また、挿入アームを構成する上側アーム及び下側アームの高さは、それぞれ積重される鋼材の上下間の隙間よりも低ければ良い。
【００１３】
また、挿入アームを構成する上側アーム及び下側アームは、下側アームが上側アームよりも挿入方向に突出していれば良い。
【００１４】
更にまた、挿入アームの基部の挿入される側とは反対側に足押部を有することもできる。
【発明の効果】
【００１５】
本発明による鋼材積重治具によれば、積重される鋼矢板の端部同士の位置合わせが案内受部によって行われるため、作業効率よく鋼矢板の積重作業を行うことができる。
【００１６】
また、本発明による鋼材積重治具によれば、鋼矢板の端部が案内受部に確実に受け止められ且つ後方への滑り落ちが規制されるため、鋼矢板の端部位置揃え作業及び傾倒作業中の作業者の安全が確実に確保される。
【発明を実施するための最良の形態】
【００１７】
以下、図面を参照しながら、本発明の鋼材積重治具を説明する。
【００１８】
図２は、本発明による鋼材積重治具２０の斜視図である。鋼材積重治具２０は、溝面を上にして横たわる鋼矢板の底面端部を挟むように挿入される一対の挿入アーム２２ａ，２２ｂと、該アームの基部間を連結する下部連結棒２４と、前記アームの基部からほぼ直角方向上側に延びる一対の案内受部２６ａ，２６ｂと、該案内受部の上端部を連結する上部連結棒２８とを具備する。鋼材積重治具２０は、さらに、案内受部２６ａ，２６ｂの上端部から、挿入アームが突出する方向とは逆方向に傾斜して延びる一対の傾斜部３０ａ，３０ｂと、該傾斜部の端部を横切って、外側方向まで延びた把持部３２を具備する。把持部３２は鋼矢板の横幅よりもわずかに長くその両端には、挿入アーム２２ａ，２２ｂの挿入方向側に折り曲げられた、横位置設定部３２ａ，３２ｂが設けられることが好ましい。３２ａ，３２ｂは外側端へ行くほどこれらの幅が広くなるように構成され、鋼矢板を案内して受け入れ易くしている。この横位置設定部３２ａ，３２ｂは、鋼矢板の横方向の位置を決めるのに用いられる。上記すべての構成要素は鋼材からなる。
【００１９】
左右一対の挿入アーム２２ａ，２２ｂに対して、好ましくは角型の鋼棒からなる案内受部２６ａ，２６ｂが溶接などの手段で直角方向に強固に固定される。一対の挿入アーム２２ａ，２２ｂの間隔は、鋼矢板の幅よりわずかに狭い、すなわち、鋼矢板のフランジ（立ち上がり部）より内側でウエブ（腹部）の幅よりわずかに狭い間隔となるように、下部連結棒２４によって決められる。下部連結棒２４も溶接などの手段で、挿入アーム２２ａ，２２ｂ及び案内受部２６ａ，２６ｂに固定される。案内受部２６ａ，２６ｂの上端部には、傾斜部３０ａ，３０ｂの一方端が溶接などの手段で一体的に固定される。上部連結棒２８が、案内受部２６ａ，２６ｂの上端部間に溶接などの手段で固定される。傾斜部３０ａ，３０ｂの他方端を横切って、好ましくは円形鋼管パイプからなり、その両端に横位置設定部３２ａ，３２ｂを有する把持部３２が溶接などの手段で固定される。以上が、本発明の鋼材積重治具の基本的な構成である。
【００２０】
上記構成に加え、更に、点線で示すように、挿入アーム２２ａ，２２ｂの反対側に、足押部５４を設けることもできる。
【００２１】
図３に示すように、挿入アーム２２ａ，２２ｂは、その基部３６部分を前方部分３４に比べて若干肉厚とする肉厚部分３７を有することが好ましい。こうすることにより、鋼矢板への挿入後十分な強度を維持しつつ、前方部分３４が肉薄なため、鋼矢板端部への挿入作業を容易とすることができる。また、挿入アーム２２ａ，２２ｂは、その上側アーム３８より下側アーム４０が若干突出するように長くすることが、鋼矢板端部への挿入が容易となる点で好ましい。さらに、挿入アームの鋼矢板を挟む部分に、ゴム板の貼着やスリット加工などの滑止手段を施すことで、作業中、挿入アームが鋼矢板から外れ難くすることも可能である。
【００２２】
なお、鋼材の一例として鋼矢板に用いた場合の例を説明しているが、鋼矢板の場合、積重すると、上下の鋼矢板のウエブ間に隙間ができる。この隙間よりも挿入アームの上側アーム３８及び下側アーム４０の高さは低くすることが必要である。鋼矢板以外の場合には、板間に適当な間隔を設けるための横木等を挿入しても良い。
【００２３】
本発明による鋼材積重治具２０は、ほぼすべての素材が鋼材であるため、それだけである程度の重量となる。そこで、作業現場への搬入、現場搬入後の作業位置への移動の際に便利なように、必要により一対の車輪５０を挿入アーム２２ａ，２２ｂの基部３６の後方に取り付けてもよい。その際、車輪５０は、その外周面の下部が、挿入アームの底部よりも若干上方に、すなわち、鋼材積重治具２０が地面に置かれたとき、地面から僅かに離れた位置となるような位置に取り付けられることが好ましい。鋼材積重治具２０を移動する際には、把持部３２を持ち且つ若干押し下げると、挿入アーム２２ａ，２２ｂの基部３６を中心に前方部分３４が若干持ち上がり、且つ車輪５０が地面と接する状態となるため、重い鋼材積重治具２０を容易に移動させることが可能となる。
【００２４】
次に、本発明の鋼材積重治具２０の使用方法を図４を参照しながら説明する。最初の鋼矢板は、地面と該鋼矢板との間に適当な間隔を設けるための横木５２等を下に敷いて載置される。ここで、本発明による鋼材積重治具２０の挿入アーム２２ａ，２２ｂが、既に地面上に置かれている鋼矢板の底面端部に挿入されて積重準備状態となる。その時の状態が図４（ａ）に示される。足押部５４が設けられている場合、その足押部５４を操作者の足で押込むことにより、挿入アーム２２ａ，２２ｂの鋼矢板端部への挿入が容易となる。
【００２５】
続いて、図４（ｂ）に示されるように、積重される鋼矢板１４が、クレーンなどによって吊り下げられた状態で、バランスを取りながら、本発明の鋼材積重治具２０の一対の横位置設定部３２ａ，３２ｂ及び一対の案内受部２６ａ，２６ｂまで作業員の手によって導かれる。その後は、鋼矢板１４を、その端部を案内受部２６ａ，２６ｂ上を滑らせながら、鋼矢板の端部同士が接触するまで下げ、そして鋼矢板をゆっくりと傾倒させることにより、鋼矢板を安全に積重することができる。鋼矢板１４の左右両脇は横位置設定部３２ａ，３２ｂで位置決めされ、且つ鋼矢板１４の端部が案内受部２６ａ，２６ｂによって確実に受け止められているため、下側の鋼矢板の端部から、積重する鋼矢板が滑り落ちることは無い。そのため、作業者の安全は確実に保たれる。
【００２６】
なお、足押部５４を設けた場合、図４（ａ）の積重準備状態の後、操作者がこの足押部５４を足で押さえておけば、クレーンによって吊り下げられた鋼矢板が本発明の鋼材積重治具の横位置設定部３２ａ，３２ｂ及び案内受部２６ａ，２６ｂに衝合する際のショックにより挿入アーム２２ａ，２２ｂの挿入位置がずれることを防ぐことができる。
【００２７】
次に積重される鋼矢板、即ち３枚目の鋼矢板１４は、鋼材積重治具２０をそのまま１枚目の鋼矢板に挿入したまま、上記と同様な方法で積重することができる。または、２枚目の鋼矢板を積重した時点で、鋼材積重治具２０を、１枚目の鋼矢板から２枚目の鋼矢板へ挿入し変えてから、積重しても構わない。
【００２８】
必要枚数の鋼矢板の積重を終えた後、本発明による鋼材積重治具２０を鋼矢板１４から引き抜き取り外すことにより一連の積重作業が終了する。
【００２９】
なお、本発明の鋼材積重治具は、上述の図示例にのみ限定されるものではなく、本発明の要旨を逸脱しない範囲内において種々変更を加え得ることは勿論である。例えば、鋼材として鋼矢板を例に説明したが、本発明はこれに限定されず、長板状の鋼板等、いかなるものでも利用可能である。
【図面の簡単な説明】
【００３０】
【図１（ａ）】図１（ａ）は、従来の鋼矢板の積重方法を説明するための図であり、これから積重される鋼矢板の先端部が揃えられた状態を示す図である。
【図１（ｂ）】図１（ｂ）は、従来の鋼矢板の積重方法を説明するための図であり、鋼矢板を傾倒させた状態を示す図である。
【図１（ｃ）】図１（ｃ）は、従来の鋼矢板の積重方法を説明するための図であり、鋼矢板を倒し終わった状態を示す図である。
【図２】図２は、本発明による鋼材積重治具の斜視図である。
【図３】図３は、本発明による鋼材積重治具の挿入アームの拡大図である。
【図４】図４は、本発明による鋼材積重治具を用いた積重方法を説明するための斜視図である。
【符号の説明】
【００３１】
１４  鋼矢板
２０  鋼材積重治具
２２ａ，２２ｂ  挿入アーム
２４  下部連結棒
２６ａ，２６ｂ  案内受部
２８  上部連結棒
３０ａ，３０ｂ  傾斜部
３２  把持部
３２ａ，３２ｂ  横位置設定部
３６  基部
５０  車輪
５４  足押部
【図１（ａ）】
2006076707.tif 000003
【図１（ｂ）】
2006076707.tif 000004
【図１（ｃ）】
2006076707.tif 000005
【図２】
2006076707.tif 000006
【図３】
2006076707.tif 000007
【図４】
2006076707.tif 000008